(57)【要約】【課題】  所定の時刻に再生や録音を行うことができるオーディオ装置を提供する。【解決手段】  外部からの命令に応じて動作させることができる所定の規格に準拠したＭＤ記録再生装置２が接続できるオーディオ装置１において、当該オーディオ装置１との間でデータの再生又は記録の動作コマンドの送信を行う動作コマンドインターフェース６と、所定のタイミングでデータの再生又は記録が行われるように上記動作コマンドを発行する設定部７と、ＭＤ記録再生装置２とオーディオ装置１とが接続されているときに、オーディオ装置１に対してＭＤ記録再生装置２からの再生データの受信を行うデータインターフェース８と、動作コマンドインターフェース６、設定部７、データインターフェース８及びＭＤ記録再生装置２を制御する制御部１５とを備える。【選択図】  図１
2006004583.tif 000002
【特許請求の範囲】
【請求項１】
外部からの命令に応じて動作させることができる所定の規格に準拠した記録再生装置が接続できるオーディオビジュアル装置において、
上記記録再生装置と上記オーディオビジュアル装置とが接続されているときに、当該オーディオビジュアル装置との間でデータの再生又は記録の動作コマンドの送信を行う動作コマンドインターフェース部と、
所定のタイミングでデータの再生又は記録が行われるように上記動作コマンドを発行する設定部と、
上記記録再生装置と上記オーディオビジュアル装置とが接続されているときに、上記オーディオビジュアル装置に対して上記記録再生装置からの再生データの受信を行うデータインターフェース部と、
上記動作コマンドインターフェース部、上記設定部、上記データインターフェース部及び上記記録再生装置を制御する制御部とを備えることを特徴とするオーディオビジュアル装置。
【請求項２】
さらに、上記記録再生装置と上記オーディオビジュアル装置とが接続されているときに、上記記録再生装置への録音データの送信を行う録音データインターフェース部とを備えることを特徴とする請求項１記載のオーディオビジュアル装置。
【発明の詳細な説明】
【技術分野】
【０００１】
本発明は、オーディオビジュアル装置に関し、特にＮｅｔＭＤ（登録商標）規格に準拠した装置をタイマ再生するオーディオビジュアル装置に関する。
【背景技術】
【０００２】
ＣＤ（Compact Disc）などの記憶メディアに記憶された情報を再生するオーディオビジュアル装置には、さまざまな機能を有するものが普及している。その中には、時計機能を有するもので、所定の時間になると、所定の記憶メディアを再生させるタイマ再生機能を持つものもある。また、オーディオビジュアル機器に、例えば別体のＭＤ（Mini Disc）機器を接続し、該ＭＤ機器の再生データをオーディオビジュアル機器に転送し出力することができるものもある。
【０００３】
【特許文献１】特開２００３−１３２６６０号公報
【発明の開示】
【発明が解決しようとする課題】
【０００４】
ところで、上述のように、別体のＭＤ機器を接続し、タイマ再生を行う場合、制御信号を送信する専用のコントローラケーブルを使用したり、リモコン用信号を用いて、タイマ起動の後に再生や録音のコマンドを送るなどの方法を行っていた。
【０００５】
しかしながら、専用のケーブルを使用する方法では、ケーブルの接続端子からそのコマンド体系まで各機器で揃える必要があり、またそれらの専用ケーブル等はメーカーによって異なるため、異なるメーカーの機器同士でコマンドの送受信を実現することが非常に困難であった。
【０００６】
また、オーディオビジュアル機器によっては、接続されたＭＤ機器とオーディオビジュアル機器のそれぞれにタイマ設定を行わないといけないものもあり、非常に煩わしかった。
【０００７】
また、リモコン用信号を用いる場合も、メーカーによってリモコンコードが異なるため、送信側で予めメーカー設定を行ったりする必要があったり、場合によってはメーカーの対応がなされておらず、タイマ再生機能を行えない場合があったりなど、不具合が多く生じていた。
【０００８】
本発明は、上述のような従来の実情に鑑みて提案されたものであり、メーカーを問わず、別体の再生機器、特にＭＤ機器を接続した場合に、タイマ再生を行うことができるオーディオビジュアル機器を提供することを目的とする。
【課題を解決するための手段】
【０００９】
上述した目的を達成するために、本発明に係るオーディオビジュアル装置は、外部からの命令に応じて動作させることができる所定の規格に準拠した記録再生装置が接続できるオーディオビジュアル装置において、上記記録再生装置と上記オーディオビジュアル装置とが接続されているときに、当該オーディオビジュアル装置との間でデータの再生又は記録の動作コマンドの送信を行う動作コマンドインターフェース部と、所定のタイミングでデータの再生又は記録が行われるように上記動作コマンドを発行する設定部と、上記記録再生装置と上記オーディオビジュアル装置とが接続されているときに、上記オーディオビジュアル装置に対して上記記録再生装置からの再生データの受信を行うデータインターフェース部と、上記動作コマンドインターフェース部、上記設定部、上記データインターフェース部及び上記記録再生装置を制御する制御部とを備えることを特徴とする。
【００１０】
さらに、上記記録再生装置と上記オーディオビジュアル装置とが接続されているときに、上記記録再生装置への録音データの送信を行う録音データインターフェース部とを備えるようにしてもよい。
【発明の効果】
【００１１】
本発明によれば、所定のタイミングでデータの再生又は記録を行うという時刻情報に関連した動作コマンド信号を出力するように設定部を設定するたけで、上記設定部を有するオーディオビジュアル装置に接続され、外部からの命令に応じて動作させることができる所定の規格に準拠した記録再生装置を、所定の時刻に録音や再生させることが簡単に、かつ、メーカーを問わず、上記所定の規格に準拠した記録再生装置をタイマ動作させることができる。
【発明を実施するための最良の形態】
【００１２】
以下、本発明を適用したオーディオ装置について図面を参照して詳細に説明する。図１に示すように、本発明に係るオーディオ装置１は、ＮｅｔＭＤ（登録商標）規格に準拠したＭＤ（Mini Disc）記録再生装置２が、各種コントロール信号や圧縮データ等を相互転送するＵＳＢ（Universal Serial Bus）ケーブル３、ＭＤの再生音を送信する音声ケーブル４、電源ケーブル５を介して接続されている。
【００１３】
まず、オーディオ装置１について説明する。オーディオ装置１は、図２に示すように、ＭＤ記録再生装置２と動作コマンド等の制御信号を送受信する動作コマンドインターフェース６と、動作コマンド等の制御信号を発行する設定部７と、ＭＤ記録再生装置２からの音声信号を受信するデータインターフェース８と、所定の信号処理を行う信号処理部９と、ハードディスクドライブ（以下、ＨＤＤという）１０と、ＣＤ−ＲＯＭドライブ１１と、ＩＣメモリドライブ１２と、所定の操作を行う操作部１３と、所定のデータを表示する表示部１４と、所定の制御を行う制御部１５と、ソース選択部１６と、アンプ１７と、スピーカ１８とから構成されている。
【００１４】
動作コマンドインターフェース６は、ＵＳＢケーブル３を介してＭＤ記録再生装置２と接続されており、ＮｅｔＭＤ規格に準拠した各種コントロール信号や圧縮データ等を相互転送するためのインターフェースである。
【００１５】
設定部７は、例えば、待機電流や内臓電池により動作するクロック回路等からなり、オーディオ装置１に電源が投入されていない状態（電源オフ状態）においても、現在日付（年月日）及び、現在時刻（時分秒）等を計時する。設定部７は、タイマ機能も備えており、設定された日時になると、制御部１５に対して、所定動作の開始、終了等の種々の命令を指示する。
【００１６】
データインターフェース８は、音声ケーブル４を介してＭＤ記録再生装置２と接続されており、ＭＤ記録再生装置２のＭＤから再生される音声信号を受信するためのインターフェースである。なお、音声ケーブル４は、ＭＤ記録再生装置２から再生される音声信号に合わせて、アナログケーブルや光ケーブルを選択するようにする。
【００１７】
信号処理部９は、例えば、ＤＳＰ（Digital Signal Processor）等からなり、制御部１５から供給される動作命令等にしたがって、ＭＤ記録再生装置２の記録、再生動作を制御する。また、信号処理部９は、ＨＤＤ１０に格納された楽曲データ（暗号化されたＡＴＲＡＣ３データやＰＣＭデータ等）の抽出及び復号を行い、音声信号を再生する。そして、再生した音声信号をソース選択部１６に供給する。
【００１８】
ＨＤＤ１０は、所定容量の磁気ディスクからなり、音声データ、楽曲データ等を記憶する。ＨＤＤ１０は、制御部１５から供給される動作命令等にしたがって、記憶されている種々のデータを信号処理部９等に供給する。
【００１９】
ＣＤ−ＲＯＭドライブ１１は、制御部１５に制御され、ＣＤ（Compact Disc）に記憶されている楽曲データ等を、信号処理部９等に供給する。
【００２０】
メモリカードドライブ１２は、不揮発性のメモリからなり、制御部１５に制御され、該メモリに記憶されている音声データや楽曲データ等を信号処理部９等に供給する。
【００２１】
操作部１３は、オーディオ装置１の前面に配置された複数のキースイッチやアナログスイッチ等からなり、ユーザの操作に従った指示情報を入力して制御部１５に供給する。
【００２２】
表示部１４は、蛍光表示管や液晶表示ユニット等からなり、制御部１５に制御され、オーディオ装置１の動作状況等を示すシンボルやメッセージ等を表示する。表示部１４は、例えば、オーディオ装置１がタイマ予約に従って、所定の時間になるとＭＤ記録再生装置２のＭＤを再生することを報知するメッセージを表示する。
【００２３】
制御部１５は、ＣＰＵ（Central Processing Unit）、ＲＯＭ（Read Only Memory）及び、ＲＡＭ（Random Access Memory）を含んだマイコン等からなり、オーディオ装置１全体を制御する。
【００２４】
制御部１５は、設定部７にタイマ予約された所定の再生開始時刻になると、ＭＤ記録再生装置２を制御して、対象の楽曲データをスピーカ１８から出力させる。また、オーディオ装置１が電源オフの状態でタイマ予約された所定の再生開始時刻になった場合では、制御部１５は、事前に設定部７から電源オンの指示を受け動作を開始し、起動時における所定の診断チェック等を行った後に、ＭＤ記録再生装置２等を制御する。
【００２５】
ソース選択部１６は、入力切換スイッチ等からなり、制御部１５に制御され、ＭＤ記録再生装置２、ＨＤＤ１０、ＣＤ−ＲＯＭドライブ１１、メモリカードドライブ１２のいずれか１つを入力ソースとして選択する。ソース選択部１６は、選択した入力ソースから出力される音声信号等をアンプ１７に供給する。
【００２６】
アンプ１７は、所定の増幅回路等からなり、例えば、ＭＤ記録再生装置２から供給された音声信号を適宜増幅し、増幅した音声信号をスピーカ１８に供給する。
【００２７】
スピーカ１８は、ステレオスピーカ等からなり、アンプ１７にて増幅された音声信号に従って、音声（楽曲音等）を出力する。
【００２８】
続いて、オーディオ装置１に接続されたＭＤ記録再生装置２について説明する。
【００２９】
ＭＤ記録再生装置２は、動作コマンドインターフェース６を介してＵＳＢケーブル３でオーディオ装置１の制御部１５と接続され、データインターフェース８を介して音声ケーブル４でオーディオ装置１のソース選択部１６と接続されている。また、ＭＤ記録再生装置２は、電源ケーブル５を介して、オーディオ装置１の図示しない電源部と接続されている。
【００３０】
ＭＤ記録再生装置２は、オーディオ装置１の制御部１５に制御され、ＵＳＢケーブル３を介してＭＤに楽曲データ等を記録したり、音声ケーブル４を介してＭＤに記録された楽曲データ等を再生したりする。ＭＤ記録再生装置２は、ＮｅｔＭＤ規格に準拠した記録再生装置であり、ＵＳＢケーブル３を介してＨＤＤ１０に格納された楽曲データを、ＭＤに記録し（チェックアウトし）、また、ＭＤに記録した楽曲データをＨＤＤ１０に戻す（チェックインする）。また、ＭＤ記録再生装置２は、音声ケーブル４を介してＭＤに記録した楽曲データ等から音声信号を再生し、再生した音声信号をオーディオ装置１に供給する。さらに、ＭＤ記録再生装置２は、電源ケーブル５を介してオーディオ装置１と接続されており、オーディオ装置１においてＭＤ記録再生装置２の電源のオン・オフを行うことができる。なお、ＭＤ記録再生装置２は、ＵＳＢケーブルで接続されたものに限らず、外部からの命令に応じて動作することができる機器であればよく、メーカーを問わない。
【００３１】
続いて、オーディオ装置１に接続されたＭＤ記録再生装置２をタイマ再生させる方法について図３のフローチャートを参照しながら説明する。なお、オーディオ装置１及びＭＤ記録再生装置２は電源オフ状態であり、予めユーザによって操作部１３を操作し、所定の時間にＭＤ記録再生装置２のＭＤを再生させるタイマ再生予約がされているものとする。
【００３２】
ステップＳ１において、制御部１５は、タイマ起動時刻になったかどうか判断する。制御部１５は、タイマ起動時刻になったかどうかについて、設定部７の時刻を確認することによって行うことができる。所定のタイマ起動時刻になった場合は、ステップＳ２に進み、タイマ起動時刻になっていない場合は、ステップＳ１を繰り返す。
【００３３】
次に、ステップＳ２において、制御部１５は、オーディオ装置１及びＭＤ記録再生装置２の電源をオンにする。ＭＤ記録再生装置２の電源は、電源ケーブル５を介して供給することができる。
【００３４】
次に、ステップＳ３において、制御部１５は、ＵＳＢケーブル３を介して、ＭＤ記録再生装置２の起動時の所定の設定を確認するための信号を送受信する。
【００３５】
次に、ステップＳ４において、制御部１５は、ＭＤ記録再生装置２に再生コマンド信号を送信する。再生コマンド信号を受信したＭＤ記録再生装置２は、ＭＤを再生し、音声信号等を音声ケーブル４を介してソース選択部１６に送信し、スピーカ１８から出力される。
【００３６】
以上のようにして、オーディオ装置１は、設定部７に設定された時刻に、ＵＳＢケーブル３を介して再生コマンドが送信され、音声ケーブル４を介して再生データを受信することができ、ＭＤ記録再生装置２のＭＤをタイマ再生することができる。
【００３７】
続いて、オーディオ装置１に接続されたＭＤ記録再生装置２をタイマ録音させる方法について図４のフローチャートを参照しながら説明する。なお、オーディオ装置１及びＭＤ記録再生装置２は電源オフ状態であり、予めユーザによって操作部１３を操作し、所定の時間にＨＤＤ１０に格納されている楽曲データ等をＭＤ記録再生装置２のＭＤに記録（チェックアウト）させるタイマ録音予約がされているものとする。
【００３８】
ステップＳ１０において、制御部１５は、タイマ起動時刻になったかどうか判断する。制御部１５は、タイマ起動時刻になったかどうかについて、設定部７の時刻を確認することによって行うことができる。所定のタイマ起動時刻になった場合は、ステップＳ１１に進み、タイマ起動時刻になっていない場合は、ステップＳ１０を繰り返す。
【００３９】
次に、ステップＳ１１において、制御部１５は、オーディオ装置１及びＭＤ記録再生装置２の電源をオンにする。ＭＤ記録再生装置２の電源は、電源ケーブル５を介して供給することができる。
【００４０】
次に、ステップＳ１２において、制御部１５は、ＵＳＢケーブル３を介して、ＭＤ記録再生装置２の起動時の所定の設定を確認するための信号を送受信する。
【００４１】
次に、ステップＳ１３において、制御部１５は、ＭＤ記録再生装置２に録音コマンド信号を送信する。録音コマンド信号を受信したＭＤ記録再生装置２は、ＵＳＢケーブル３を介してオーディオ装置１のＨＤＤ１０の所定の楽曲データをＭＤに記録（チェックアウト）する。
【００４２】
以上のようにして、オーディオ装置１は、設定部７に設定された時刻に、ＵＳＢケーブル３を介して記録コマンドが送信され、記録データを受信することができ、ＭＤ記録再生装置２のＭＤをタイマ記録することができる。
【００４３】
なお、上述のようにオーディオ装置１のＨＤＤ１０に格納された楽曲データ等を記録（チェックアウト）することに限らず、例えば、ＣＤ−ＲＯＭドライブ１１に記録された楽曲データ等を記録するようにしてもよいし、また、チューナユニットを備えるオーディオ装置１であれば、チューナからの音声を記録することもでき、外部入力端子を備えるオーディオ装置１であれば、同様に外部入力の音声を記録することもできる。
【００４４】
その具体的な手段としては、所定の時刻にチューナからの音声信号をＡＴＲＡＣ３にてＨＤＤ１０に記録するとともに、その記録された信号を読み取り、ＵＳＢケーブル３を介して、ＭＤ記録再生装置２に記録（チェックアウト）するようにする。
【００４５】
また、オーディオ装置１及びＭＤ記録再生装置２は、例えば、録音用のＳＰＤＩＦ（Sony Philips Digital Interface）などのインターフェースを備えるようにしてもよい。このようにすれば、オーディオ装置１は、所定の時刻になったら、ＵＳＢケーブル３を介して、ＭＤ記録再生装置２をタイマ起動することもでき、ＳＰＤＩＦなどの上記インターフェース上の音声信号を記録することができる。
【００４６】
また、オーディオ装置１は、タイマ録音させる際、録音と同時に再生を行うようにしてもよい。
【００４７】
以上のように、オーディオ装置１は、ＮｅｔＭＤ規格に準拠したＭＤ記録再生装置２を
接続するだけで、ＭＤ記録再生装置２側にタイマ機能を有する必要がなく、また、専用のコントロールケーブルを使用しないで、オーディオ装置１側からＮｅｔＭＤ規格準拠した再生コマンドを送信しているので、メーカーによらずタイマ再生、タイマ録音することができる。
【００４８】
なお、実施の形態としてオーディオ装置を例に説明をしたが、これに限らず、例えば映像信号の再生を行うオーディオビジュアル装置であってもよい。
【図面の簡単な説明】
【００４９】
【図１】本発明を適用したオーディオ装置とＭＤ記録再生装置の接続例を示した模式図である。
【図２】オーディオ装置の構成の一例を示すブロック図である。
【図３】本発明を適用したオーディオ装置のタイマ再生を説明するためのフローチャートである。
【図４】本発明を適用したオーディオ装置のタイマ録音を説明するためのフローチャートである。
【符号の説明】
【００５０】
１  オーディオ装置、２  ＭＤ記録再生装置、３  ＵＳＢケーブル、４  音声ケーブル、５  電源ケーブル、６  動作コマンドインターフェース、７  設定部、８  データインターフェース、９  信号処理部、１０  ＨＤＤ、１１  ＣＤ−ＲＯＭドライブ、１２  メモリカードドライブ、１３  操作部、１４  表示部、１５  制御部、１６  ソース選択部、１７  アンプ、１８  スピーカ
【図１】
2006004583.tif 000003
【図２】
2006004583.tif 000004
【図３】
2006004583.tif 000005
【図４】
2006004583.tif 000006